(57)【要約】【目的】溶接構造品に匹敵する強度を有し、かつ耐久性に優れた支持金具を低コストで供給する。【構成】取り付け部材１１の支持部材固着部１６に設けた挿入口１４に、先端の幅方向両端部が切欠かれているとともに先端中央部にも切欠きが設けられた支持部材１２の一端が挿入され、その先端１２１，１２２が互い違いの方向に、かつ先端部が取り付け部材１１の裏面に当接するまで折り曲げられたカシメ構造としている。各部材として、めっき鋼板、特にＺｎ−Ａｌ−Ｍｇ系合金めっき鋼板が用いられる。【選択図】        図２
2004274929.tif 000002
【特許請求の範囲】
【請求項１】
固定壁もしくは支柱に固定される支持金具であって、固定壁もしくは支柱に固定される板状の取り付け部材と、当該取り付け部材に一端が固着された板状の支持部材とを有し、前記支持部材の一端と取り付け部材との固着が、取り付け部材に設けた挿入口に、先端の幅方向両端部が切欠かれているとともに先端中央部にも切欠きが設けられた支持部材の一端が挿入され、その先端が互い違いの方向に、かつ先端部が取り付け部材裏面に当接するまで折り曲げられたカシメ構造であることを特徴とする支持金具。
【請求項２】
固定壁もしくは支柱に固定される支持金具であって、固定壁もしくは支柱に固定される板状の取り付け部材と、当該取り付け部材に一端が固着された板状の支持部材とを有し、前記支持部材の一端と取り付け部材との固着が、取り付け部材に設けた挿入口に、先端の幅方向両端部が支持面とは反対側に垂直に曲げられているとともに先端に切欠きが設けられた支持部材の一端が挿入され、その先端が互い違いの方向に、かつ先端部が取り付け部材裏面に当接するまで折り曲げられたカシメ構造であることを特徴とする支持金具。
【請求項３】
板状の取り付け部材が、固定壁もしくは支柱への取り付け部と、該取り付け部の取り付け面に対して外側に突出された支持部材固着部からなるものである請求項１または２に記載の支持金具。
【請求項４】
板状の取り付け部材および支持部材がめっき鋼板から形作られている請求項１〜３の何れかに記載の支持金具。
【請求項５】
Ｚｎ−Ａｌ−Ｍｇ系の合金めっきが施されている請求項４に記載の支持金具。
【発明の詳細な説明】
【０００１】
【産業上の利用分野】
本発明は、長尺体を載置・支持するための支持金具に関する。
【０００２】
【従来の技術】
例えば、軌道に附設されている通信ケーブル等を支持するものとして、特開２０００−２２４７４２号公報には、受け台と該受け台に被着される蓋体からなり、蓋体は受け台に回転可能に取付けられていると共に、その自由端部側は受け台上に締結自在とされ、受け台と蓋体には、蓋体が閉じられたときに対向面部間に通信ケーブルの支持孔とメッセンジャーワイヤーに支持孔を連通させて形成できるように、各一対の円弧面部が相対応してそれぞれ設けらており、受け台の底部には該受け台の中央部に前後方向に向かって設けられているトンネル部へ開口した受け台固定具の挿着孔が、また該挿着孔に対向している受け台側の円弧面部には受け台固定具操作用の窓孔がそれぞれ設けられたものが提案されている。
【０００３】
上記公報で提案されている支持具は、構造が複雑で、支持具そのものの製造コストが高くなるばかりでなく、支持具の固定や、その支持具上での通信ケーブル等の支持・固定にも煩雑な作業を伴うことになる。
そこで、最近では新幹線や地下鉄等で、防音壁や擁護壁の支柱等に支持金具を取り付け、該支持金具上に載置・保持するのみで通信ケーブルを支持しようとしている。例えば、図１に示すように、固定壁もしくは支柱に所定の間隔で固定されている支持金具１上に通信ケーブル２を単に載置するのみで保持しようとするものである。支える支持金具としては、耐食性に優れるステンレス鋼を用いて溶接法により製造されたものが使用されている。例えば図２（ａ）に示すように、ステンレス鋼からなる支持部材１２の端部が取り付け部材１５に対して溶接法で接合されている。
【０００４】
【発明が解決しようとする課題】
素材として耐食性に優れるステンレス鋼板を使用し、溶接法で接合することにより、耐久性に優れた金具が得られている。しかし、溶接法で、接合強度が高い接合部を得ようすると煩雑な工程を必要とし、しかも素材がステンレス鋼であるために、コスト高となってしまう。
そこで、素材としてめっき鋼板を使用し、溶接接合した支持金具を得ようとすると、溶接可能条件が厳しくなるばかりでなく、溶接欠陥を生じやすく、信頼性に欠けるものとなりやすい。しかも、耐食性を維持するために溶接部に後補修を必要とし、結果的にはコスト低減に結びつかない。
熱延鋼板を接合した後に、耐食性を向上させるために溶融めっきすることも想定される。しかしながら、溶融めっきに伴うめっき金属のダレの影響で、例えば通信ケーブルが損耗される虞があるため、溶融めっき後にめっき金属ダレを手作業で除去する必要があり、かえってコストが高くなってしまう。
【０００５】
【課題を解決するための手段】
本発明は、このような問題を解消すべく案出されたものであり、溶接法を用いずに、コスト安で製造可能な簡易構造であって、しかも大きな負荷に耐えられる支持金具を提供することを目的とする。
本発明の支持金具は、その目的を達成するため、固定壁もしくは支柱に固定される支持金具であって、固定壁もしくは支柱に固定される板状の取り付け部材と、当該取り付け部材に一端が固着された板状の支持部材とを有し、前記支持部材の一端と取り付け部材との固着が、取り付け部材に設けた挿入口に、先端の幅方向両端部が切欠かれているとともに先端中央部にも切欠きが設けられた支持部材の一端が挿入され、その先端が互い違いの方向に、かつ先端部が取り付け部材裏面に当接するまで折り曲げられたカシメ構造であることを特徴とする。
【０００６】
支持部材の一端と取り付け部材との固着が、取り付け部材に設けた挿入口に、先端の幅方向両端部が支持面とは反対側に垂直に曲げられているとともに先端に切欠きが設けられた支持部材の一端が挿入され、その先端が互い違いの方向に、かつ先端部が取り付け部材裏面に当接するまで折り曲げられたカシメ構造であってもよい。
板状の取り付け部材は、固定壁もしくは支柱への取り付け部と、該取り付け部の取り付け面に対して外側に突出された支持部材固着部からなるものが好ましい。さらに、板状の取り付け部材および支持部材としては、めっき鋼板、特にＺｎ−Ａｌ−Ｍｇ系のめっき鋼板から形作られたものが好ましい。
【０００７】
【実施の態様】
前述したように、通信ケーブル２等の長尺体は、その途中を固定壁もしくは支柱に所定の間隔で固定されている支持金具１上に載置され、支持されている（図１参照）。
その支持金具１は、図２に示すように、固定壁もしくは支柱に固定される板状の取り付け部材１１と、当該取り付け部材１１に一端が固着された板状の支持部材１２とを有し、前記支持部材の一端と取り付け部材とが固着されている。板状の支持部材１２の他端には載置物が落ちないように、立設片１３を設けたものが好ましい。さらに、板状の取り付け部材１１は、固定壁もしくは支柱への取り付け部１５と、該取り付け部１５の取り付け面に対して外側に屈曲突出された支持部材固着部１６からなる形状としている。
【０００８】
そして、従来の支持金具では支持部材１２の一端を取り付け部材１１の支持部材固着部１６に溶接法で固着している。
本発明は、上記固着構造を改良したことを第一の特徴とするものである。
その固着構造は、図２の（ｂ）にみられるように、取り付け部材１１の支持部材固着部１６に設けた挿入口１４に、先端の幅方向両端部が切欠かれているとともに先端中央部にも切欠きが設けられた支持部材１２の一端が挿入され、その先端１２１，１２２が互い違いの方向に、かつ先端部が取り付け部材１１の裏面に当接するまで折り曲げられたカシメ構造としている。
【０００９】
このようなカシメ構造は、次の手順で構築することができる。
すなわち、適宜の幅と長さを有する取り付け部材１１の支持部材固着部１６に、支持部材１２の板厚と同じ幅で、支持部材１２の板幅よりも短い長さの挿入口１４を設ける。一方、先端に前記挿入口１４の長さよりも僅かに短い幅の先端部を残して両側を板厚の数倍の長さで切欠くとともに、先端部の中央に、前記切欠きの長さより、板厚よりも僅かに短い切欠き線を入れた支持部材用の板材を準備する。この支持部材用板材は、前記取り付け部材１１と同じか僅かに狭い幅と、通信ケーブル等の長尺体を載置・保持するに十分な長さを有し、載置物が落下しないように他端に立設片１３を設けたものが好ましい。
上記形状に整えた支持部材用板材の先端を、取り付け部材１１の支持部材固着部１６の挿入口１４に挿入し、切欠き線により分断された先端部１２１，１２２を、その先端が支持部材固着部１６の裏面に到達するまで互い違いに折り曲げて、カシメ構造の固着を行う。
【００１０】
なお、支持金具の強度を高めるために固着構造を、取り付け部材に設けた挿入口１４に、先端の幅方向両端部１２３が支持面とは反対側に垂直に曲げられているとともに先端に切欠きが設けられた支持部材１２の一端が挿入され、その先端１２１，１２２が互い違いの方向に、かつ先端部が取り付け部材１１の裏面に当接するまで折り曲げられたカシメ構造としてもよい。
このカシメ構造は、上記支持部材用板材の先端両側を板厚の数倍の長さで切欠くのではなく、図３に示すように、先端部の中央に設けた切欠きの他に、両側に近い箇所に、前記切欠きの長さより取り付け部材１１の板厚よりも僅かに長い切欠きを入れた支持部材用板材を準備する。両側に形成された支え部１２３を、同図では後方向きに９０度折り曲げた後に、支持部材用板材の先端を取り付け部材１１の支持部材固着部１６の挿入口１４に挿入し、切欠き線により分断された先端部１２１，１２２を、その先端が支持部材固着部１６の裏面に到達するまで互い違いに折り曲げて、カシメ構造の固着を行う。
支え部１２３を設けているために、支持部材に重量物が載置されて大きな荷重がかかっても、支持金具の変形を抑えることができる。
【００１１】
本発明の第二の特徴は、当該支持金具を構成する各部材を、予めめっきした鋼板で形作ったことである。
めっき原板としては、用途、すなわち支持する長尺体の重量にもよるが、例えば通信ケーブルの途中を支持するような場合には、板厚が３ｍｍ程度の熱延板で十分であり、めっき後３０〜５０ｍｍ幅に裁断したもので十分である。
めっき鋼板としては、亜鉛めっき鋼板，アルミニウムめっき鋼板，Ｚｎ−５％Ａｌ合金めっき鋼板，Ｚｎ−５５％Ａｌ合金めっき鋼板、Ｚｎ−６％Ａｌ−３％Ｍｇ等のＺｎ−Ａｌ−Ｍｇ系合金めっき鋼板等、種々のめっき鋼板が使用できるが、特に、Ｚｎ−Ａｌ−Ｍｇ系の合金を溶融めっきした鋼板を用いることが好ましい。
めっき層は、片面当たりの付着量２０〜２００ｇ／ｍ２で形成されたものが好ましい。２０ｇ／ｍ２未満の付着量ではめっき層の防食作用が弱く、逆に２００ｇ／ｍ２を超える付着量では経済的に不利であるばかりでなく、加工性が低下しやすくなる。
上記のようなめっき鋼板を適宜サイズに裁断，変形の加工の後、組み立てる。想定される負荷荷重に対しては十分な強度を有するように設計されているが、長期使用による赤錆等の発生による外観劣化を防止する目的で、端面補修を行うことが好ましい。
【００１２】
上記記載では、使用態様として通信ケーブルを、固定壁もしくは支柱に固定された本発明支持部材上に載置・支持する例を紹介してきた。しかし、これに留まることなく、物干し材を支持するために支柱に固定して使用する態様、配管を支持するために支柱に固定して使用する態様等、本発明の支持金具は、鋼板の板厚，金具自身のサイズ調整により、幅広く使用できるものである。
【００１３】
【実施例】
４００Ｎ／ｍｍ２級で板厚３．２ｍｍの熱延鋼板を素材として、図５に示すようなサイズの支持部を有し、カシメ構造の固着部をもつ支持金具を作製した。図４に示す支え部１２３を有する形状のものである。
比較例として、同材質，同サイズで、前面に支え部を設けるとともに挿入口の裏側でカシメることなく全面を溶接した支持金具を作製した。
上記２つの支持金具について強度試験を行った。強度試験は、図５中、上側の支持部材中央に、図６に示すように荷重Ｐを加え、各荷重に応じた負荷前（Ｘ１）と負荷除荷時（Ｘ２）の変位量（Δｘ＝Ｘ１−Ｘ２）を測定した。なお、強度試験は、先端Ｒが５ｍｍの半円競押付け圧子を使用し、２ｍｍ／ｍｉｎの圧下速度で、３００Ｎまでの荷重を加える試験を行った。そして、上記変位量Δｘが１ｍｍを超えるものを×とし、１ｍｍ以下のものを○とした。
その結果を表１に示す。
【００１４】
2004274929.tif 000003
【００１５】
試験結果からもわかるように、溶接品と比べて遜色のない強度を有している。例えば、通信ケーブルを支える支持金具にかかる荷重がせいぜい１２〜１３Ｎ程度であることを考慮すると、カシメ構造品で十分に使用できることがわかる。
上記実施例では、めっきが施されていない熱延鋼板を使用し、強度的な面のみを検討したが、素材としてめっき鋼板、特にＺｎ−Ａｌ−Ｍｇ系の合金めっきが施された鋼板を用いると、めっき鋼板自身が耐食性にも優れているので、風雨に曝される屋外での長期間の使用に耐え得る支持金具が得られることになる。
【００１６】
【発明の効果】
以上に説明したように、本発明によれば、支持部材の一端と取り付け部材との固着をカシメ構造としたことにより、簡易構造でありながら大きな負荷に耐えられる支持金具が、溶接構造品と比べて低コストで提供できることになる。
さらに素材としてめっき鋼板を用いれば、耐久性に優れた支持金具が低コストで提供できることになる。
【図面の簡単な説明】
【図１】長尺体を支持金具上に載置・支持する態様を説明する図
【図２】本発明支持金具の形状を説明する斜視図
【図３】本発明支持金具を構成する支持部材を形作る手順を説明する図
【図４】本発明支持金具の他の形状を説明する斜視図
【図５】実施例で使用した支持金具の形状を説明する図
【図６】実施例で採用した強度試験態様を説明する図
【符号の説明】
１：支持金具      ２：通信ケーブル
１１：取り付け部材    １２：支持部材    １３：立設片    １４：挿入口
１５：取り付け部    １６：支持部材固着部    １２３：支え部
【図１】
2004274929.tif 000004
【図２】
2004274929.tif 000005
【図３】
2004274929.tif 000006
【図４】
2004274929.tif 000007
【図５】
2004274929.tif 000008
【図６】
2004274929.tif 000009